(57)【要約】【課題】  ランプボックス用ファンが高熱による悪影響を受けないようにすること。【解決手段】  ランプボックスから光学エンジンに光線を投影し、該光学エンジンの投影レンズにより映像を投影し、ファン６Ａのコード１１ａを介して駆動部１１に通電し、回転体１２を介して各翼体１３を回転させることにより発生させた冷却風を格子枠５の通気孔４を通ってランプボックスに吹き付けるように形成され、前記格子枠５に、ファン６Ａの中心部１０に対向して該中心部１０とほぼ同径の断熱板５ａが一体形成され、該断熱板５ａによりランプボックス３からの熱線を遮断するようにしたプロジェクタにおいて、前記断熱板５ａのランプボックス対向面に該断熱板５ａより若干小径の窪み部２５が形成され、該窪み部２５とほぼ同形の鏡面加工したミラー板２６をその窪み部２５に嵌め込み接着剤で接着させた。【選択図】        図１
2006243206.tif 000002
【特許請求の範囲】
【請求項１】
ケーシング内の前部に、光学エンジン及びランプボックスと、該ランプボックスを支持
する通気孔付き合成樹脂製格子枠に止着したファンとが配置され、前記ファンが、格子枠
に止着されたロ字状外枠と、該外枠内の中央に配置されて複数の連結杆を介してその外枠
に一体連結した中心部と、該中心部に取り付けた駆動部により回転される回転体の外周面
に放射状に突設した複数の翼体とを有し、前記駆動部に接続したコードが適当な連結杆に
形成した凹溝内を通って外枠の外方まで延ばされており、ランプボックスから光学エンジ
ンに光線を投影し、該光学エンジンの投影レンズにより映像を投影し、前記ファンのコー
ドを介して駆動部に通電し、回転体を介して各翼体を回転させることにより発生させた冷
却風を格子枠の通気孔を通ってランプボックスに吹き付けるように形成され、前記格子枠
に、ファンの中心部に対向して該中心部とほぼ同径の断熱板が一体形成され、該断熱板に
よりランプボックスからの熱線を遮断するようにしたプロジェクタにおいて、前記断熱板
のランプボックス対向面に該断熱板より若干小径の窪み部が形成され、該窪み部とほぼ同
形の鏡面加工したミラー板をその窪み部に嵌め込み接着剤で接着させたことを特徴とする
プロジェクタ。
【請求項２】
ケーシング内の前部に、光学エンジン及びランプボックスと、該ランプボックスを支持
する通気孔付き合成樹脂製格子枠に止着したファンとが配置され、前記ファンが、格子枠
に止着されたロ字状外枠と、該外枠内の中央に配置されて複数の連結杆を介してその外枠
に一体連結した中心部と、該中心部に取り付けた駆動部により回転される回転体の外周面
に放射状に突設した複数の翼体とを有し、前記駆動部に接続したコードが適当な連結杆に
形成した凹溝内を通って外枠の外方まで延ばされており、ランプボックスから光学エンジ
ンに光線を投影し、該光学エンジンの投影レンズにより映像を投影し、前記ファンのコー
ドを介して駆動部に通電し、回転体を介して各翼体を回転させることにより発生させた冷
却風を格子枠の通気孔を通ってランプボックスに吹き付けるように形成され、前記格子枠
に、ファンの中心部に対向して該中心部とほぼ同径の断熱板が一体形成され、該断熱板に
よりランプボックスからの熱線を遮断するようにしたプロジェクタにおいて、前記格子枠
に、前記コードを通す連結杆に対向して該連結杆とほぼ同形の枝杆が一体形成され、前記
断熱板のランプボックス対向面に該断熱板より若干小径の窪み部が形成されと共に、前記
枝杆のランプボックス対向面にその枝杆よりも若干小幅の凹路が窪み部に連通して形成さ
れ、前記窪み部とほぼ同形の鏡面加工したミラー板に凹路とほぼ同形の延長板が一体突設
されており、ミラー板を窪み部に延長板を凹路にそれぞれ嵌め込んで接着剤により接着さ
せたことを特徴とするプロジェクタ。
【請求項３】
ケーシング内の前部に、光学エンジン及びランプボックスと、該ランプボックスを支持
する通気孔付き合成樹脂製格子枠に止着したファンとが配置され、前記ファンが、格子枠
に止着されたロ字状外枠と、該外枠内の中央に配置されて複数の連結杆を介してその外枠
に一体連結した中心部と、該中心部に取り付けた駆動部により回転される回転体の外周面
に放射状に突設した複数の翼体とを有し、前記駆動部に接続したコードが適当な連結杆に
形成した凹溝内を通って外枠の外方まで延ばされており、ランプボックスから光学エンジ
ンに光線を投影し、該光学エンジンの投影レンズにより映像を投影し、前記ファンのコー
ドを介して駆動部に通電し、回転体を介して各翼体を回転させることにより発生させた冷
却風を格子枠の通気孔を通ってランプボックスに吹き付けるように形成され、前記格子枠
に、ファンの中心部に対向して該中心部とほぼ同径の断熱板が一体形成され、該断熱板に
よりランプボックスからの熱線を遮断するようにしたプロジェクタにおいて、前記断熱板
のランプボックス対向面に熱線反射手段が設けられていることを特徴とするプロジェクタ
。
【請求項４】
前記断熱板のランプボックス対向面に該断熱板より若干小径の窪み部が形成され、前記
熱線反射手段が窪み部とほぼ同形の鏡面加工したミラー板からなっており、該ミラー板を
窪み部に嵌め込み接着剤で接着させたことを特徴とする請求項３に記載のプロジェクタ。
【請求項５】
前記断熱板のランプボックス対向面に該断熱板より若干小径の窪み部が形成されと共に
、該窪み部の周縁に、先端をその窪み部内に突出させた複数の係止爪が周方向所定間隔を
おいて一体突設され、前記熱線反射手段が窪み部とほぼ同形の鏡面加工したミラー板から
なっており、該ミラー板を各係止爪の先端を押し分けて窪み部内に嵌め込むようにしたこ
とを特徴とする請求項３に記載のプロジェクタ。
【請求項６】
前記熱線反射手段が、前記断熱板のランプボックス対向面に塗布された赤外線・紫外線
反射性被膜からなることを特徴とする請求項３に記載のプロジェクタ。
【請求項７】
前記格子枠に、前記コードを通す連結杆に対向して該連結杆とほぼ同形の枝杆が一体形
成され、前記断熱板のランプボックス対向面に該断熱板より若干小径の窪み部が形成され
ると共に、前記枝杆のランプボックス対向面にその枝杆よりも若干小幅の凹路が窪み部に
連通して凹設され、前記反射手段が窪み部とほぼ同形の鏡面加工したミラー板からなり、
該ミラー板に凹路とほぼ同形の延長板が一体突設されており、ミラー板を窪み部に延長板
を凹路にそれぞれ嵌め込んで接着剤により接着させたことを特徴とする請求項３に記載の
プロジェクタ。
【発明の詳細な説明】
【技術分野】
【０００１】
本発明は、例えばテレビ映像をスクリーンに映写するためのプロジェクタに関する。
【背景技術】
【０００２】
従来、プロジェクタの技術として特許文献１などに記載したものがあり、その一例を図
９〜図１４に基づいて説明すると、ケーシング１内の前部に、光学エンジン２及びランプ
ボックス３と、該ランプボックス３を支持する通気孔４付き合成樹脂製格子枠５に止着し
たファン６Ａ，６Ｂとが配置されている。
【０００３】
前記ランプボックス３用ファン６Ａは、格子枠５にビス７で止着されたロ字状外枠８と
、該外枠８内の中央に配置されて複数の連結杆９Ａ〜９Ｃを介してその外枠８に一体連結
した円形状中心部１０と、該中心部１０に取り付けた駆動部１１により回転される回転体
１２の外周面に放射状に突設した複数の翼体１３とを有し、駆動部１１に接続したコード
１１ａが適当な連結杆９Ａに形成した凹溝１４内を通って外枠８の外方まで延ばされてい
る。光学エンジン２用ファン６Ｂの構造も同様であるから、その説明を省略する。なお、
図１０中、１５はランプボックス３のランプ、１６はリフレクタ、１７はケーシング１の
前面に形成した排気口、１８はケーシング１の側面から後面に形成した吸気口、１９はコ
ントローラボード、２０は電源ボードである。
【０００４】
上記構成において、ランプボックス３からカラーホイール（図示せず）を介して光学エ
ンジン２に光線を投影し、該光学エンジン２の投影レンズ２ａにより映像をスクリーン２
２に投影し、各ファン６Ａ，６Ｂのコード１１ａを介して駆動部１１に通電し、回転体１
２を介して各翼体１３を回転させることにより、吸気口１８からケーシング１内に空気を
吸引し、冷却風を格子枠５の通気孔４を通ってランプボックス３及び光学エンジン２に吹
き付けて冷却し、その冷却済み空気を排気口１７から排気する。
【０００５】
図１４に示すように、ファン６Ａの中心部１０に対向して該中心部１０とほぼ同径の円
形状断熱板５ａが格子枠５に一体形成されており、該断熱板５ａによりランプボックス３
からの熱線を遮断している。なお、格子枠５に一体形成したＬ字枠５ｂにランプボックス
３がビス２３により止着されている（図１１参照）。
【特許文献１】特開２００２−２５３０５号公報
【発明の開示】
【発明が解決しようとする課題】
【０００６】
上記従来の構成では、ファン６Ａの中心部１０がランプボックス３に接近されており、
該ランプボックス３の動作時に生じる高熱に中心部１０内の駆動部１１のベアリングやＩ
Ｃ基板などがさらされている。そこで、中心部１０とランプボックス３との間に断熱板５
ａを介在させて、ランプボックス３からの熱線を遮断しているが、これだけでは、例えば
外気温度などの環境条件やカラーホイール（図示せず）のＲＧＢセグメントなどによる温
度上昇により断熱板５ａに高熱が蓄積され、その高熱により駆動部１１のベアリングやＩ
Ｃ基板などが悪影響を受けてその寿命が短くなる。
【０００７】
また、連結杆９Ａの凹溝１４に通したコード１１ａが露出しているため、そのコード１
１ａの皮膜がランプボックス３から発せられる熱線により劣化されてショート事故が発生
するおそれがあると共に、コード１１ａからファン６Ａの駆動部１１に高熱が伝わって該
駆動部１１が熱損傷されるおそれがある。
【０００８】
本発明は、上記従来の欠点に鑑み、ランプボックス用ファンが高熱による悪影響を受け
ないようにしたプロジェクタを提供することを目的としている。
【課題を解決するための手段】
【０００９】
上記目的を達成するため、請求項１に記載の発明は、ケーシング内の前部に、光学エン
ジン及びランプボックスと、該ランプボックスを支持する通気孔付き合成樹脂製格子枠に
止着したファンとが配置され、前記ファンが、格子枠に止着されたロ字状外枠と、該外枠
内の中央に配置されて複数の連結杆を介してその外枠に一体連結した中心部と、該中心部
に取り付けた駆動部により回転される回転体の外周面に放射状に突設した複数の翼体とを
有し、前記駆動部に接続したコードが適当な連結杆に形成した凹溝内を通って外枠の外方
まで延ばされており、ランプボックスから光学エンジンに光線を投影し、該光学エンジン
の投影レンズにより映像を投影し、前記ファンのコードを介して駆動部に通電し、回転体
を介して各翼体を回転させることにより発生させた冷却風を格子枠の通気孔を通ってラン
プボックスに吹き付けるように形成され、前記格子枠に、ファンの中心部に対向して該中
心部とほぼ同径の断熱板が一体形成され、該断熱板によりランプボックスからの熱線を遮
断するようにしたプロジェクタにおいて、前記断熱板のランプボックス対向面に該断熱板
より若干小径の窪み部が形成され、該窪み部とほぼ同形の鏡面加工したミラー板をその窪
み部に嵌め込み接着剤で接着させたことを特徴としている。
【００１０】
請求項２に記載の発明は、ケーシング内の前部に、光学エンジン及びランプボックスと
、該ランプボックスを支持する通気孔付き合成樹脂製格子枠に止着したファンとが配置さ
れ、前記ファンが、格子枠に止着されたロ字状外枠と、該外枠内の中央に配置されて複数
の連結杆を介してその外枠に一体連結した中心部と、該中心部に取り付けた駆動部により
回転される回転体の外周面に放射状に突設した複数の翼体とを有し、前記駆動部に接続し
たコードが適当な連結杆に形成した凹溝内を通って外枠の外方まで延ばされており、ラン
プボックスから光学エンジンに光線を投影し、該光学エンジンの投影レンズにより映像を
投影し、前記ファンのコードを介して駆動部に通電し、回転体を介して各翼体を回転させ
ることにより発生させた冷却風を格子枠の通気孔を通ってランプボックスに吹き付けるよ
うに形成され、前記格子枠に、ファンの中心部に対向して該中心部とほぼ同径の断熱板が
一体形成され、該断熱板によりランプボックスからの熱線を遮断するようにしたプロジェ
クタにおいて、前記格子枠に、前記コードを通す連結杆に対向して該連結杆とほぼ同形の
枝杆が一体形成され、前記断熱板のランプボックス対向面に該断熱板より若干小径の窪み
部が形成されと共に、前記枝杆のランプボックス対向面にその枝杆よりも若干小幅の凹路
が窪み部に連通して形成され、前記窪み部とほぼ同形の鏡面加工したミラー板に凹路とほ
ぼ同形の延長板が一体突設されており、ミラー板を窪み部に延長板を凹路にそれぞれ嵌め
込んで接着剤により接着させたことを特徴としている。
【００１１】
請求項３に記載の発明は、ケーシング内の前部に、光学エンジン及びランプボックスと
、該ランプボックスを支持する通気孔付き合成樹脂製格子枠に止着したファンとが配置さ
れ、前記ファンが、格子枠に止着されたロ字状外枠と、該外枠内の中央に配置されて複数
の連結杆を介してその外枠に一体連結した中心部と、該中心部に取り付けた駆動部により
回転される回転体の外周面に放射状に突設した複数の翼体とを有し、前記駆動部に接続し
たコードが適当な連結杆に形成した凹溝内を通って外枠の外方まで延ばされており、ラン
プボックスから光学エンジンに光線を投影し、該光学エンジンの投影レンズにより映像を
投影し、前記ファンのコードを介して駆動部に通電し、回転体を介して各翼体を回転させ
ることにより発生させた冷却風を格子枠の通気孔を通ってランプボックスに吹き付けるよ
うに形成され、前記格子枠に、ファンの中心部に対向して該中心部とほぼ同径の断熱板が
一体形成され、該断熱板によりランプボックスからの熱線を遮断するようにしたプロジェ
クタにおいて、前記断熱板のランプボックス対向面に熱線反射手段が設けられていること
を特徴としている。
【００１２】
請求項４に記載の発明は、請求項３に記載の発明において、前記断熱板のランプボック
ス対向面に該断熱板より若干小径の窪み部が形成され、前記熱線反射手段が窪み部とほぼ
同形の鏡面加工したミラー板からなっており、該ミラー板を窪み部に嵌め込み接着剤で接
着させたことを特徴としている。
【００１３】
請求項５に記載の発明は、請求項３に記載の発明において、前記断熱板のランプボック
ス対向面に該断熱板より若干小径の窪み部が形成されと共に、該窪み部の周縁に、先端を
その窪み部内に突出させた複数の係止爪が周方向所定間隔をおいて一体突設され、前記熱
線反射手段が窪み部とほぼ同形の鏡面加工したミラー板からなっており、該ミラー板を各
係止爪の先端を押し分けて窪み部内に嵌め込むようにしたことを特徴としている。
【００１４】
請求項６に記載の発明は、請求項３に記載の発明において、前記熱線反射手段が、前記
断熱板のランプボックス対向面に塗布された赤外線・紫外線反射性被膜からなることを特
徴としている。
【００１５】
請求項７に記載の発明は、請求項３に記載の発明において、前記格子枠に、前記コード
を通す連結杆に対向して該連結杆とほぼ同形の枝杆が一体形成され、前記断熱板のランプ
ボックス対向面に該断熱板より若干小径の窪み部が形成されると共に、前記枝杆のランプ
ボックス対向面にその枝杆よりも若干小幅の凹路が窪み部に連通して凹設され、前記反射
手段が窪み部とほぼ同形の鏡面加工したミラー板からなり、該ミラー板に凹路とほぼ同形
の延長板が一体突設されており、ミラー板を窪み部に延長板を凹路にそれぞれ嵌め込んで
接着剤により接着させたことを特徴としている。
【発明の効果】
【００１６】
請求項１に記載の発明は第１の実施の形態（図１及び図２参照）に対応するものであっ
て、これによれば、ランプボックスから断熱板に向かって発せられる熱線が鏡面加工した
ミラー板により効率良く反射されるから、その断熱板に蓄積される高熱が減少して温度上
昇を確実に抑える。従って、例えば外気温度などの環境条件やカラーホイールのＲＧＢセ
グメントなどによる温度上昇が生じても、ファンの駆動部のベアリングやＩＣ基板などが
高熱による悪影響を受けることが少なくなり、そのファンの寿命を従来に比べて大幅に延
ばすことができる。
【００１７】
また、ミラー板を断熱板の窪み部に嵌め込んで接着剤で接着することより、そのミラー
板を断熱板に確実に係止することができる。
【００１８】
請求項２に記載の発明は第４の実施の形態（図６〜図８参照）に対応するものであって
、これによれば、請求項１に記載の発明と同様の効果を得ることができ、特に、格子枠に
一体形成した枝板とミラー板に一体突設した延長板とによりファンのコードが覆われてい
るので、コードの皮膜がランプボックスから発せられる熱線により劣化されてショート事
故が発生するのを防止すると共に、そのコードからファンの駆動部に高熱が伝わって該駆
動部が熱損傷されるのを防ぐことができる。
【００１９】
請求項３に記載の発明は基本形態に対応するものであって、これによれば、ランプボッ
クスから断熱板に向かって発せられる熱線が該断熱板のランプボックス対向面に設けた熱
線反射手段により反射されるので、その断熱板に蓄積される高熱が減少して温度上昇を抑
える。従って、例えば外気温度などの環境条件やカラーホイールのＲＧＢセグメントなど
による温度上昇が生じても、ファンの駆動部のベアリングやＩＣ基板などが高熱による悪
影響を受けることが少なくなり、そのファンの寿命を従来に比べて大幅に延ばすことがで
きる。
【００２０】
請求項４に記載の発明によれば、ランプボックスから断熱板に向かって発せられる熱線
が鏡面加工したミラー板により効率良く反射されるから、その断熱板に蓄積される高熱が
減少して温度上昇を確実に抑えることができる。
【００２１】
また、ミラー板を断熱板の窪み部に嵌め込んで接着剤で接着することより、そのミラー
板を断熱板に確実に係止することができる。
【００２２】
請求項５に記載の発明によれば、請求項３に記載の発明と同様の効果を得ることができ
、特に、ミラー板を窪み部の周縁に一体突設した各係止爪の先端を押し分けて該窪み部内
に嵌め込むだけで、そのミラー板を断熱板に確実に係止することができ、その係止に接着
剤が不要であるから、経済的である。
【００２３】
請求項６に記載の発明によれば、ランプボックスから断熱板に向かって発せられる熱線
の加熱源である赤外線及び紫外線が赤外線・紫外線反射性被膜により効率良く反射される
から、その断熱板に蓄積される高熱が減少して温度上昇を確実に抑えることができ、特に
、赤外線・紫外線反射性被膜の塗布作業を短時間で連続的に行うことができるから、量産
性に優れ、コストダウンを図ることができる。
【００２４】
請求項７に記載の発明によれば、請求項３に記載の発明と同様の効果を得ることができ
、特に、格子枠に一体形成した枝板とミラー板に一体突設した延長板とによりファンのコ
ードが覆われているので、コードの皮膜がランプボックスから発せられる熱線により劣化
されてショート事故が発生するのを防止すると共に、そのコードからファンの駆動部に高
熱が伝わって該駆動部が熱損傷されるのを防ぐことができる。
【発明を実施するための最良の形態】
【００２５】
図１及び図２は本発明の第１の実施の形態であるプロジェクタの要部を示すものであっ
て、断熱板５ａのランプボックス対向面に該断熱板５ａより若干小径の円形状窪み部２５
が形成され、該窪み部２５とほぼ同形の鏡面加工した円形状金属製ミラー板（熱線反射手
段）２６をその窪み部２５に嵌め込み熱硬化性接着剤２７で接着させている。上記以外の
構成は図９〜図１４に示す構成とほぼ同じであるから、同一部分に同一符号を付してその
説明を省略する。
【００２６】
上記構成によれば、ランプボックス３から断熱板５ａに向かって発せられる熱線が鏡面
加工したミラー板２６により効率良く反射されるから、その断熱板５ａに蓄積される高熱
が減少して温度上昇を確実に抑える。従って、例えば外気温度などの環境条件やカラーホ
イールのＲＧＢセグメントなどによる温度上昇が生じても、ランプボックス３用ファン６
Ａの駆動部１１のベアリングやＩＣ基板などが高熱による悪影響を受けることが少なくな
り、そのファン６Ａの寿命を従来に比べて大幅に延ばすことができる。
【００２７】
また、ミラー板２６を断熱板５ａの窪み部２５に嵌め込んで接着剤２７で接着すること
より、そのミラー板２６を断熱板５ａに確実に係止することができる。
【００２８】
第１の実施の形態では、ミラー板２６を断熱板５ａに接着剤２７で係止するようにした
が、これに限定されるわけではなく、図３及び図４に示すように、窪み部２５の周縁に、
先端２９ａをその窪み部２５内に突出させた複数（この実施の形態では３つ）の係止爪２
９が周方向所定間隔をおいて一体突設され、その各係止爪２９の先端２９ａを押し分けて
ミラー板２６を窪み部２５内に嵌め込むようにしてもよい（第２の実施の形態）。
【００２９】
上記構成によれば、ミラー板２６を各係止爪２９の先端２９ａを押し分けて窪み部２５
内に嵌め込むだけで、そのミラー板２６を断熱板５ａに確実に係止することができ、その
係止に接着剤２７（図２参照）が不要であるから、経済的である。
【００３０】
図５は本発明の第３の実施の形態であるプロジェクタの要部を示すものであって、断熱
板５ａのランプボックス対向面に赤外線・紫外線反射性被膜（熱線反射手段）３１が塗布
されている。上記以外の構成は図１及び図２に示す第１の実施の形態とほぼおなじである
から、同一部分に同一符号を付してその説明を省略する。
【００３１】
上記構成によれば、ランプボックス３から断熱板５ａに向かって発せられる熱線の加熱
源である赤外線及び紫外線が赤外線・紫外線反射性被膜３１により効率良く反射されるか
ら、その断熱板５ａに蓄積される高熱が減少して温度上昇を確実に抑えることができ、特
に、赤外線・紫外線反射性被膜３１の塗布作業を短時間で連続的に行うことができるから
、量産性に優れ、コストダウンを図ることができる。
【００３２】
図６〜図８は本発明の第４の実施の形態であるプロジェクタの要部を示すものであって
、格子枠５に、ファン６Ａのコード１１ａを通す連結杆９Ａに対向して該連結杆９Ａとほ
ぼ同形の枝杆５ｃが一体形成され、該枝杆５ｃのランプボックス対向面にその枝杆５ｃよ
りも若干小幅の凹路３３が窪み部２５に連通して凹設され、ミラー板２６に凹路３３とほ
ぼ同形の延長板２６ａが一体突設されており、ミラー板２６を窪み部２５に延長板２６ａ
を凹路３３にそれぞれ嵌め込んで接着剤２７により接着させている。上記以外の構成は図
１及び図２に示す第１の実施の形態とほぼおなじであるから、同一部分に同一符号を付し
てその説明を省略する。
【００３３】
上記構成によれば、第１の実施の形態と同様の効果を得ることができ、特に、格子枠５
に一体形成した枝杆５ｃとミラー板２６に一体突設した延長板２６ａとによりファン６Ａ
のコード１１ａが覆われているので、コード１１ａの皮膜がランプボックス３から発せら
れる熱線により劣化されてショート事故が発生するのを防止すると共に、そのコード１１
ａからファン６Ａの駆動部１１に高熱が伝わって該駆動部１１が熱損傷されるのを防ぐこ
とができる。
【００３４】
第４の実施の形態では、接着剤２７によりミラー板２６及び延長板２６ａを断熱板５ａ
及び枝杆５ｃに接着させるようにしたが、これに限定されるわけではなく、第２の実施の
形態（図３及び図４参照）に示す技術に基づいて、係止爪２９によりミラー板２６及び延
長板２６ａを断熱板５ａ及び枝杆５ｃに係止するようにしてもよい。
【図面の簡単な説明】
【００３５】
【図１】本発明の第１の実施の形態であるプロジェクタの要部分解斜視図である。
【図２】同要部の縦断面図である。
【図３】（ａ）は本発明の第２の実施の形態であるプロジェクタの要部縦断面図、（ｂ）は同要部の正面図である。
【図４】同要部の拡大部分図である。
【図５】本発明の第３の実施の形態であるプロジェクタの要部縦断面図である。
【図６】本発明の第４の実施の形態であるプロジェクタの要部分解斜視図である。
【図７】同要部の正面図である。
【図８】同要部の縦断面図である。
【図９】プロジェクタの斜視図である。
【図１０】同水平断面図である。
【図１１】従来例を示す縦断面図である。
【図１２】図１１のＡ−Ａ矢視図である。
【図１３】同ランプボックス用ファンの正面図である。
【図１４】同要部分解斜視図である。
【符号の説明】
【００３６】
１          ケーシング
２          光学エンジン
３          ランプボックス
４          通気孔
５          格子枠
５ａ        断熱板
５ｃ        枝杆
８          外枠
９Ａ〜９Ｃ  連結杆
１０        中心部
１１        駆動部
１１ａ      コード
１２        回転体
１３        翼体
１４        凹溝
２５        窪み部
２６        ミラー板（熱線反射手段）
２６ａ      延長板
２７        接着剤
２９        係止爪
３１        赤外線・紫外線反射性被膜（熱線反射手段）
３３        凹路
【図１】
2006243206.tif 000003
【図２】
2006243206.tif 000004
【図３】
2006243206.tif 000005
【図４】
2006243206.tif 000006
【図５】
2006243206.tif 000007
【図６】
2006243206.tif 000008
【図７】
2006243206.tif 000009
【図８】
2006243206.tif 000010
【図９】
2006243206.tif 000011
【図１０】
2006243206.tif 000012
【図１１】
2006243206.tif 000013
【図１２】
2006243206.tif 000014
【図１３】
2006243206.tif 000015
【図１４】
2006243206.tif 000016